(57)【特許請求の範囲】
【請求項１】
ページごとに、（ａ）１または複数の画像データユニットと、（ｂ）画像領域抽出基準座標の複数の遷移系列とを記憶する記憶手段と、指定された１の画像領域抽出基準座標の遷移系列に基づいて、順次に、画像領域抽出基準座標を決定し、順次に決定した画像領域抽出基準座標により規定される抽出枠に含まれる画像を、１または複数の画像データユニットに含まれる画像データから順次に復元する復元手段と、上記復元手段により復元された画像の少なくとも一部を表示する表示手段とを有する画像閲覧装置。
【請求項２】
ページ当たりの上記画像データユニットは複数であり、画像閲覧装置本体の種類を表す属性値または暗号化／非暗号化を示す属性値をそれぞれ割り当てられている請求項１記載の画像閲覧装置。
【請求項３】
上記画像データユニットに含まれる画像データは複数である請求項１または２記載の画像閲覧装置。
【請求項４】
複数の上記画像データユニットの少なくとも一部が、上記遷移系列のうちの１つにより定まる複数の画像領域抽出座標にそれぞれ対応し、当該複数の画像領域抽出座標により規定される抽出枠に含まれる部分画像を少なくとも含む画像を、それぞれ対応する画像データユニットに含まれる画像データから順次に復元する請求項２記載の画像閲覧装置。
【請求項５】
上記画像データユニットに含まれる複数の画像データの少なくとも一部が、上記遷移系列のうちの１つにより定まる複数の画像領域抽出座標にそれぞれ対応し、当該複数の画像領域抽出座標により規定される抽出枠に含まれる部分画像を少なくとも含む画像を、それぞれ対応する画像データから順次に復元する請求項３記載の画像閲覧装置。
【請求項６】
コンピュータを、ページごとに、（ａ）１または複数の画像データユニットと、（ｂ）画像領域抽出基準座標の複数の遷移系列とを記憶する記憶手段、指定された１の画像領域抽出基準座標の遷移系列に基づいて、順次に、画像領域抽出基準座標を決定し、順次に決定した画像領域抽出基準座標により規定される抽出枠に含まれる画像を、１または複数の画像データユニットに含まれる画像データから順次に復元する復元手段、上記復元手段により復元された画像の少なくとも一部を表示する表示手段として機能させる画像閲覧用コンピュータプログラム。
【発明の詳細な説明】
【技術分野】
【０００１】
この発明は、画像閲覧技術に関する。
【背景技術】
【０００２】
電子機器を用いて画像、例えば、まんが画像を閲覧することが行われるようになってきている。画像を閲覧するための画像データ（コンテンツ）はネットワークを介して、あるいは、携帯型の記録媒体（メモリカードともいう）を介して入手でき、テレビジョン受像機、パーソナルコンピュータ、携帯電話機、携帯型ゲーム機等の電子機器で閲覧可能である。ところで、このような閲覧用の電子機器の表示画面の大きさや解像度は種々であり、そのような特性に合致した画像でないと閲覧が著しく困難になる。例えば、大きな画面サイズのテレビジョン受像機で表示した画像をそのまま携帯電話機の画面で閲覧すると、細部を認識できなくなる。
【０００３】
なお、この発明と関連する先行技術としては特許文献１がある。この先行技術では、携帯型ゲーム機等、画面の小さな電子機器でまんが画像を閲覧する際に、部分画像を順序情報に基づいて画面送りし、さらに、部分画像が比較的大きい場合には、スクロール処理できるようにしている。
【０００４】
上述の従来技術やその問題点は、この発明の背景の一部を説明するためにのみ説明している。この発明は上述の従来技術や問題点に限定されるものではない点に留意されたい。
【先行技術文献】
【特許文献】
【０００５】
【特許文献１】特開２００５−２０２０６２号公報
【発明の概要】
【発明が解決しようとする課題】
【０００６】
この発明は、以上の事情を考慮してなされたものであり、表示装置の表示サイズや解像度に適合して多様な態様で画像を表示させる画像閲覧技術を提供することを目的としている。
【課題を解決するための手段】
【０００７】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００８】
すなわち、この発明の一側面によれば、上述の目的を達成するために、画像閲覧装置に：ページごとに、１または複数の画像データユニットと、画像領域抽出基準座標の複数の遷移系列とを記憶する記憶手段と；指定された１の画像領域抽出基準座標の遷移系列に基づいて、順次に、画像領域抽出基準座標を決定し、順次に決定した画像領域抽出基準座標により規定される抽出枠に含まれる画像を、１または複数の画像符号データユニットに含まれる画像データから順次に復元する復元手段と；上記復元手段により復元された画像の少なくとも一部を表示する表示手段とを設けるようにしている。
【０００９】
この構成においては、閲覧装置をなす電子機器の表示画面のサイズ等に応じて画像領域抽出基準座標の遷移系列を選択して適合的な画像表示を行える。
【００１０】
画像閲覧装置は、例えば、携帯電話機、携帯型ゲーム機、テレビジョン受像機、パーソナルコンピュータ、デジタルカメラ等の電子機器で実現できるけれども、これに限定されない。
【００１１】
画像領域抽出基準座標の遷移系列（以下では、アンカーレイヤーともいう）は、通常複数の遷移先座標を含むが、単一の座標のみ含み遷移回数がゼロであっても良い。遷移の方向は任意であり、画面に沿って上下、左右でも良いし、斜めでも良い。下方から上方に遷移しても良い。
【００１２】
画像データユニット（以下では、ページレイヤーともいう）は、画像要素、例えば、まんがの吹き出し部分（せりふ、擬音等）やそれ以外の部分を、個別の画像データユニットとして構成して良い。
【００１３】
この構成において、ページ当たりの上記画像データユニットは複数であってよい。ページ中、画像がない部分には画像データを省略できる。画像データユニットには１または複数の画像データが含まれる。画像データは、典型的にはＪＰＥＧ等の符号データであるけれども、符号化されていない未圧縮のものであってもよい。
【００１４】
この場合、複数の上記画像データユニットの少なくとも一部が、上記遷移系列のうちの１つにより定まる複数の画像領域抽出座標にそれぞれ対応し、当該複数の画像領域抽出座標により規定される抽出枠に含まれる部分画像を少なくとも含む画像を、それぞれ対応する画像データユニットに含まれる画像データから順次に復元してよい。
【００１５】
また、画像符号データユニットに含まれる画像データは複数であってよい。
【００１６】
この場合、画像データユニットに含まれる複数の画像データの少なくとも一部が、遷移系列のうちの１つにより定まる複数の画像領域抽出座標にそれぞれ対応し、当該複数の画像領域抽出座標により規定される抽出枠に含まれる部分画像を少なくとも含む画像を、それぞれ対応する画像データから順次に復元してよい。
【００１７】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるソフトウェア製品もこの発明の技術的な範囲に含まれることも当然である。ここで、コンピュータには、ＣＰＵ、メモリ、入出力装置等を含んで実現される各種電子機器も含まれる。
【００１８】
この発明の上述の側面および他の側面は特許請求の範囲に記載され以下実施例を用いて詳述される。
【発明の効果】
【００１９】
この発明によれば、閲覧装置をなす電子機器の表示画面のサイズ等に応じて画像領域抽出基準座標の遷移系列を選択して適合的な画像表示を行える。
【図面の簡単な説明】
【００２０】
【図１】この発明の実施例の電子機器およびメモリカードからなる画像閲覧システムを全体として示す図である。
【図２】上述の実施例の変形例を説明する図である。
【図３】図１の電子機器の一例としての携帯電話機の構成例を説明するブロック図である。
【図４】上述実施例の機能ブロックの構成例を説明するブロック図である。
【図５】上述の機能ブロックの動作を説明するフローチャートである。
【図６】画像データのデータ構造を説明する図である。
【図７】画像データに含まれるページ記述データのデータ構造を説明する図である。
【図８】画像データに含まれるアンカー記述データのデータ構造を説明する図である。
【図９】ページ記述データのレイヤーを説明する図である。
【図１０】アンカー記述データのアンカーを説明する図である。
【図１１】ページ記述データおよびアンカー記述データの利用例を説明する図である。
【発明を実施するための形態】
【００２１】
以下、この発明の実施例について説明する。
【００２２】
図１は、この実施例の画像閲覧システム１０００を全体として示しており、この図において、電子機器１００はメモリカードインタフェース１００Ａを具備し、このメモリカードインタフェース１００Ａにメモリカード２００を着脱自在に装着する。電子機器１００は典型的には図３にも示すように携帯電話機１１０であるが、これに限定されず、パーソナルコンピュータ等の種々の情報端末、テレビジョン受像機等の家電製品、デジタルカメラ、携帯型ゲーム機等であってよい。メモリカード２００は典型的にはＳＤメモリカード（商標）であるが、これに限定されず、フラッシュメモリやハードディスクを具備する任意の形態の着脱可能な補助記憶装置であってよい。メモリカード２００は閲覧対象の画像を表示するための画像データ（以下、コンテンツと呼ぶこともある）を保持する。閲覧対象の画像は典型的にはまんがの画像であるが、これに限定されず、種々のテキスト、図形、写真画像を含む画像であって良い。電子機器１００は、先に例を挙げて述べたように、携帯電話機、パーソナルコンピュータ、携帯型ゲーム機、テレビゲーム機、電子辞書、携帯情報機器、電子カメラ、デジタルフォトフレーム、テレビジョン受像機、その他、表示部を具備して閲覧機能を実現可能な電子機器である。
【００２３】
また、図２に示すように、電子機器１００は通信インタフェース１００Ｂを具備し、通信ネットワーク３００を介して画像サーバコンピュータ４００から画像データを取得して良い。画像サーバ４００から取得した画像データはメモリカード２００に保持されてもよいし、内部の記憶手段に保持されても良い。
【００２４】
図３は、電子機器１００（図１）の一例としての携帯電話機１１０を全体として示しており、この図において、携帯電話機１１０は、ＣＰＵ１０、ＲＡＭ１１、ＲＯＭ１２、メモリカードインタフェース１００Ａ、キーボードを含む入力部１３、液晶パネルを含む表示部１４、音声処理部１５、データ処理部１６、アンテナを含む無線送受信部１７、マイクロホン／スピーカ１８、バスシステム１９等を含んで構成される。
【００２５】
マイクロホン／スピーカ１８、音声処理部１５、および無線送受信部１７により通話が実現される。データ処理部１６はブラウザやメール処理等の各種の処理に伴う付随的なデータ処理を行う。入力部１３のキーボード等を用いて電話番号やテキストの入力、後述するポイント移動指示、ページ送り指示、閲覧終了指示や、閲覧開始指示、その他の指示入力が行われる。これら入力は表示部１４がタッチパネル機能を伴うときにはこれを用いて行っても良い。表示部１４の液晶パネルはテキスト、画像等の表示を行う。ＣＰＵ１０はＲＡＭ（主メモリ）１１とともにオペレーティングシステム等のシステムプログラムやミドルウェアプログラムやアプリケーションプログラムを実行する。アプリケーションプログラム（アプリケーションと呼ぶこともある）２０は破線で示すようにファイルシステム２１を用いてメモリカード２００をアクセスする。ＲＯＭ１２は典型的にはフラッシュメモリであり、ブートプログラム、オペレーティングシステム、ミドルウェアプログラム、アプリケーションプログラム、その他各種データを記憶する。ミドルウェアプログラム、アプリケーションプログラム、その他各種データは、メモリカード２００に記憶されてもよい。ファイルシステム２１は任意のものでよく、典型的にはＦＡＴ１６またはＦＡＴ３２であり、メモリカード２００はそれに対応した構造体を含む。典型的にはメモリカード２００のアプリケーションプログラム２０やＲＯＭ１２等のアプリケーションプログラムが画像閲覧用コンピュータプログラムを実現する。
【００２６】
この例では、閲覧対象の画像データ（コンテンツ）は、メモリカード２００に保持される。画像データは、これに限定されないが、図６に示すデータ構造を有する。図６に示すように、コンテンツは１または複数のエピソードからなり、エピソードは１または複数のページからなる、ページは１または複数のページ記述データおよびアンカー記述データからなる。コンテンツは、例えば、一冊のまんがの「題目」でまとめられるデータであり、エピソードは一冊のまんがの中の「話」でまとめられるデータである。ページ記述データは１ページの画像を構成するデータであり、アンカー記述データは、抽出枠領域（ビューともいう）の基準ポイントの移動を記述するデータである。移動する抽出枠に応じた部分画像が表示部１４に表示される。後に説明するようにパーソナルコンピュータやテレビジョン受像機等大きなサイズの表示部を伴う場合には、１ページの画像全体を一括表示すれば良いので、ポイントを移動させる必要がなく、このため、固定した１つおポイントのみあればよい。
【００２７】
ページ記述データは、例えば、図７に示すように、各タグのもと、対応するデータを保持する。「ＭＡＧＩＣ」はページ記述データであることを示す一意のバイトパターンである。「ＴＡＧ＿ＰＡＧＥ＿ＬＡＹＥＲ＿ＣＯＵＮＴ」は当該ページ記述データに含まれるページレイヤーの総数を記述する。この総数分、「ＴＡＧ＿ＬＡＹＥＲ＿ＩＮＦＯＲＭＡＴＩＯＮ」が繰り返される。「ＴＡＧ＿ＬＡＹＥＲ＿ＩＮＦＯＲＭＡＴＩＯＮ」はページ記述データに含まれるページレイヤーの記述するものであり、それぞれ、「ＬＡＹＥＲ＿ＡＴＴＲ」、「ＬＡＹＥＲ＿ＳＩＺＥ」、「ＬＡＹＥＲ＿ＰＯＳＩＴＩＯＮ」、「ＮＵＭＢＥＲ＿ＯＦ＿ＩＭＡＧＥ」、「ＴＡＧ＿ＩＭＡＧＥ」を含む。「ＬＡＹＥＲ＿ＡＴＴＲ」はページレイヤーの属性を示し、属性は目的に応じて種々に選定できる。「ＬＡＹＥＲ＿ＳＩＺＥ」はページレイヤーの矩形の大きさ（幅および高さ）を示し、「ＬＡＹＥＲ＿ＰＯＳＩＴＩＯＮ」はページレイヤーの矩形の配置座標を示し、例えば、矩形の所定の角の一点の座標を示し、「ＮＵＭＢＥＲ＿ＯＦ＿ＩＭＡＧＥ」はページレイヤーに含まれる画像の数を示し、「ＴＡＧ＿ＩＭＡＧＥ」は、ページレイヤーに含まれる画像の詳細を記述する。「ＴＡＧ＿ＩＭＡＧＥ」は画像の数だけ繰り返される。
【００２８】
「ＴＡＧ＿ＩＭＡＧＥ」は、「ＩＭＡＧＥ＿ＳＩＺＥ」、「ＩＭＡＧＥ＿ＰＯＳＩＴＩＯＮ」、「ＩＭＡＧＥ＿ＦＯＲＭＡＴ」、「ＩＭＡＧＥ＿ＤＡＴＡ＿ＬＥＮＧＴＨ」、「ＩＭＡＧＥ＿ＤＡＴＡ」を含む。「ＩＭＡＧＥ＿ＳＩＺＥ」は画像矩形の大きさ（幅および高さ）を示し、「ＩＭＡＧＥ＿ＰＯＳＩＴＩＯＮ」は、画像矩形の配置座標を示し、例えば、矩形の所定の角の一点の座標を示し、「ＩＭＡＧＥ＿ＦＯＲＭＡＴ」は画像のフォーマットを示し、「ＩＭＡＧＥ＿ＤＡＴＡ＿ＬＥＮＧＴＨ」は画像のデータ長を示す。「ＩＭＡＧＥ＿ＤＡＴＡ」は所定のフォーマットの画像データ本体である。
【００２９】
ページレイヤーは種々の態様で利用可能である。例えば、図９（Ａ）に示すように、まんがを構成する要素種類ごとにページレイヤーを割り当てて良い。具体的には、ほんが画像の本体（ふきだしを除いた部分）と吹き出しの部分とを別々のレイヤーＰＬ１、ＰＬ２に割り当てて良い。また、言語種類に応じて吹き出し部分を個別のレイヤーに割り当てても良い。画像を復元する際にページレイヤーＰＬ１の画像（復号画像）の上にページレイヤーＰＬ２の画像を重ねて最終画像を組み立てる。
【００３０】
また、背景と前景とを別々のページレイヤーに割り当てても良いし、背景と前景との間に複数のページレイヤーを割り当てても良い。各レイヤーには、透明、半透明、不透過等の属性を付与できる。複数のページレイヤーの画像を重ね合わせて最終画像を組み立てる。
【００３１】
また、図９（Ｂ）に示すように任意個数のページレイヤーＰＬ１〜ＰＬＮで画像全体を分割して構成しても良い。このようにして部分画像をレイヤーで分担させて良い。
【００３２】
また、図９（Ｃ）に示すように、１または複数のページレイヤーＰＬに複数の部分画像ＩＭＧを含ませて良い。この図で、実線はページレイヤーＰＬを示し、破線はその中の部分画像ＩＭＧを示す。図９（Ｂ）、（Ｃ）のように画像の大きさを小さくして１度に行う処理量を小さくすることができる。また、画像が不要な領域や繰り返しがある場合には、部分画像等を省略できる。
【００３３】
図８は、アンカー記述データの構成例を示しており、この図において、アンカー記述データは、「ＭＡＧＩＣ」、「ＡＮＣＯＲ＿ＬＡＹＥＲ＿ＣＯＵＮＴ」、「ＬＡＹＥＲ」を含む。「ＭＡＧＩＣ」はこのデータがアンカー記述データであることを示す一意のバイトパターンである。「ＡＮＣＯＲ＿ＬＡＹＥＲ＿ＣＯＵＮＴ」はアンカー記述データに含まれるアンカーレイヤーの総数を示し、「ＬＡＹＥＲ」はアンカーレイヤーの詳細を記述するものであり、アンカーレイヤーの数だけ繰り返される。「ＬＡＹＥＲ」は、「ＬＡＹＥＲ＿ＡＴＴＲ」、「ＬＡＹＥＲ＿ＳＩＺＥ」、「ＬＡＹＥＲ＿ＰＯＳＩＴＩＯＮ」、「ＮＵＭＢＥＲ＿ＯＦ＿ＡＮＣＯＲＳ」、「ＡＮＣＯＨ＿ＤＡＴＡ」を含む。「ＬＡＹＥＲ＿ＡＴＴＲ」はアンカーレイヤーの属性を示し、属性は目的に応じて種々に選定できる。「ＬＡＹＥＲ＿ＳＩＺＥ」はアンカーレイヤーの矩形の大きさ（幅および高さ）を示し、「ＬＡＹＥＲ＿ＰＯＳＩＴＩＯＮ」はアンカーレイヤーの矩形の配置座標を示し、例えば、矩形の所定の角の一点の座標を示し、「ＮＵＭＢＥＲ＿ＯＦ＿ＡＮＣＨＯＲＳ」はアンカーレイヤーに含まれるアンカーの数を示し、「ＡＮＣＨＯＲ＿ＤＡＴＡ」は、アンカーレイヤーに含まれるアンカーの配置座標を示し、アンカーの数だけ繰り返される。
【００３４】
アンカー記述データは、画像の抽出枠（ビュー）の基準ポイントの移動を規定するものである。例えば、図１０（Ａ）、（Ｂ）および（Ｃ）に示すように３つのアンカーレイヤーがあり、それぞれ１つ、２つ、９つのアンカーが×印で示すように含まれているものとする。図１０（Ａ）に示す例では、左上に１つのアンカーａ１があり、一点鎖線で示す矩形のビューに対応する画像が復元される。一点鎖線で示す矩形の領域が画像全体である場合、画像全体が表示部１４に表示される。画像全体のサイズが表示部１４のサイズに較べて大きい場合には、縮小して表示されたり、一部のみが表示され、見にくいものとなる。この例は、大きなサイズの画面を伴う電子機器例えば画面サイズが大きな据え置き型のテレビジョン受像機に適しており、小さな画面サイズの携帯電話機には不向きと考えられる。
【００３５】
図１０（Ｂ）に示す例では、２つのアンカーｂ１、ｂ２があり、一点鎖線で示すビューｖ１、ｖ２が矢印で示すように遷移して順次に表示される。図１０（Ｃ）に示す例では、９つのアンカーｃ１〜ｃ９があり、矢印で示すようにビューｖ１、ｖ２、・・・ｖ９が順次に表示される。図１０（Ｂ）は画面サイズが中くらいの電子機器に適しており、図１０（Ｃ）は画面サイズが小さな電子機器、例えば携帯電話機に適していると考えられる。ポイント移動はアンカーの順番で規定されるので、ポイント移動の方向は、アンカーの順番に応じて任意の方向に設定できる。
【００３６】
図１１は、ページレイヤーとアンカーレイヤーの組み合わせの例を示しているが、組み合わせはこれに限定されない。図１１（Ａ）の例では、１つのページレイヤーが１つの画像データを有し、これを、６つのアンカーを具備するアンカーレイヤーでポイント移動する（中央）。あるいは、１つのアンカーのみを具備するアンカーレイヤーで固定表示する（右側）。破線はページ中の画像データの画像の配置を示す。一点鎖線の枠はアンカーに対応するビューを示す。６つのアンカー（ビュー）を具備するアンカーレイヤーが設定された場合には１つのページレイヤーの１つの画像データから対応するビューの画像を順次に復元する。符号データの部分（途中）から直接に復号を行えず、全体を初めから復号しなければならない場合には、一旦、全体を復号して、バッファリングし、再利用することが好ましい。１つのアンカー（ビュー）のみを具備するアンカーレイヤーが設定された場合には、全体を復元してそのまま一括して表示する。図９（Ａ）に示すようにページレイヤーの画像を重ね合わせる場合には、重ね合わせる画像に対して同様の処理を適用すれば良い。
【００３７】
図１１（Ｂ）は、１のページレイヤーが複数の部分画像を有し、これに対応して複数のアンカーを具備するアンカーレイヤーを利用するものである。この場合、アンカー（ビュー）に対応する部分画像のみを復号して画像を復元でき、処理量を軽くすることができる。所定のビューに画像が含まれない場合には、部分画像を省略して良い。
【００３８】
図１１（Ｃ）は、複数のページレイヤーがそれぞれ部分画像を有し、これら部分画像に対応して複数のアンカーを具備するアンカーレイヤーを利用するものである。部分画像を個別のページレイヤーに割り当てているので、部分画像ごとに種々の属性を付与することも可能である。
【００３９】
図４は、主にアプリケーションプログラムにより実現される画像閲覧システム１０００の機能を機能ブロックとして示すものであり、この図において、画像閲覧システム１０００は、利用レイヤー設定部２０１、次ポイント特定部２０２、画像復元部２０３、画像表示駆動部２０４等を含んで構成されている。
【００４０】
図５は、図４の各機能ブロックの動作を説明するものである。この動作は以下の通りである。
【００４１】
［ステップＳ１０］：閲覧プログラムが起動されると、利用レイヤー設定部２０１が利用レイヤーを設定する。利用レイヤーはページレイヤーおよびアンカーレイヤーを含む。利用レイヤーの設定はユーザの指定に従ってもよいし、電子機器の種類、識別情報に応じて自動的に設定されても良い。同一の電子機器の場合でも使用態様に応じて自動的に利用レイヤーが設定されても良い。例えば、携帯電話機において、画面を横長にして閲覧する場合と、縦長にして閲覧する場合で異なる利用レイヤーに自動設定されるようにしても良い。
［ステップＳ１１］：次ポイント特定部２０２が次ポイントを特定する。閲覧プログラムを起動した直後では第１頁の設定アンカーレイヤーの第１番目のアンカーの座標が次ポイントとなり、ページ送りが行われた場合には、次頁の設定アンカーレイヤーの第１番目のアンカーが次ポイントとなり、ポイント移動指示があった場合には、現在のページの設定アンカーレイヤーの次の順番のアンカーの座標が次ポイントになる。
［ステップＳ１２］：画像復元部２０３が次ポイントのアンカー座標で決定されるビューの画像を設定ページレイヤーの画像データから復元する。
［ステップＳ１３］：画像表示駆動部２０４が復元画像データを表示部１４に表示する。
［ステップＳ１４］：電子機器の表示面またはキーの操作により入力部１３からポイント移動指示があった場合には、ステップＳ１１に戻り処理を繰り返し、そうでない場合にはステップＳ１５に進む。
［ステップＳ１５］：電子機器の表示面またはキーの操作により入力部１３からページ送り指示があった場合には、ステップＳ１１に戻り処理を繰り返し、そうでない場合にはステップＳ１６に進む。
［ステップＳ１６］：電子機器の表示面またはキーの操作により入力部１３から閲覧終了指示があった場合には、処理を終了し、そうでない場合には、ステップＳ１４に戻り処理を繰り返す。
【００４２】
以上で実施例の説明を終了する。
【００４３】
なお、この発明は特許請求の範囲の記載に基づいて決定されるものであり、実施例の具体的な構成、課題、および効果には限定されない。この発明は上述の実施例に限定されるものではなくその趣旨を逸脱しない範囲で種々変更が可能である。上述実施例では、携帯電話機を例に挙げて説明したが、パーソナルコンピュータ、携帯型ゲーム機、テレビゲーム機、電子辞書、携帯情報機器、電子カメラ、デジタルフォトフレーム、テレビジョン受像機、その他の電子機器にも同様に適用でき、電子機器の特性や使用態様に応じた表示を採用できる。ページレイヤー、その中の画像データ、アンカーレイヤーは、その繰り返しの配列中の序数（順番）で特定したけれども、識別子を用いて、特定しても良い。識別子は、属性等の情報を用いて良い。
【００４４】
また、ページレイヤーに関して、属性値で暗号化／非暗号化の判別を行わせてもよい。たとえば、既定の定数（１６進数）として次のように定める。
テレビジョン受像機：０ｘ０１
携帯電話機：０ｘ０２
暗号化：０ｘ８０
非暗号化：０ｘ００
デバイスの値と暗号化の有無の値との排他的論理和をとり、以下のような場合に対処する。ページレイヤーの属性値に応じてつぎのようになる。
（１）ケース１：テレビジョン受像機（非暗号化）
属性値＝０ｘ０１
ＴＶ用、暗号化無しであり、そのまま復号して表示する。
（２）ケース２：テレビジョン受像機（暗号化）
属性値＝０ｘ８１
ＴＶ用で、暗号化ありで、平文に戻して復号、表示する。
（３）ケース３：携帯電話機（非暗号化）
属性値＝０ｘ０２
携帯電話機用であり、暗号化無しである。そのまま復号して表示する。
（４）ケース４：携帯電話機（暗号化）
属性値＝０ｘ８２
携帯電話機用であり、暗号化ありで、平文に戻して復号、表示する。
暗号化ありの場合は、暗号の復号（平文化）は、コンテンツの利用許諾状況により、実行可否が分かれる。コンテンツを購入したとか、利用契約をしたなどにより、復号用の鍵を取得している場合にだけ、復号が行える。暗号化なしの場合は、いわゆる無料コンテンツ、サンプルコンテンツなどの扱いで、購入、契約の有無に関わらず、すべての利用者が利用できる。
これに限定されないが、このような画像データは例えばつぎのように利用する。すなわち、鍵を有する場合には、０ｘ８１（テレビジョン受像機）または０ｘ８２（携帯電話機）のページレイヤーを自動的に取得してこれを復号・表示し、鍵を有しない場合には、０ｘ０１または０ｘ０２のページレイヤーを自動的に、暗号化コンテンツに対応した無料コンテンツ、サンプルデータ等をそのまま表示する。
【符号の説明】
【００４５】
１３    入力部
１４    表示部
１００    電子機器
１１０    携帯電話機
２００    メモリカード
２０１    利用レイヤー設定部
２０２    次ポイント特定部
２０３    画像復元部
２０４    画像表示駆動部
【図１】
0005570157.tif 000002
【図２】
0005570157.tif 000003
【図３】
0005570157.tif 000004
【図４】
0005570157.tif 000005
【図５】
0005570157.tif 000006
【図６】
0005570157.tif 000007
【図１０】
0005570157.tif 000008
【図１１】
0005570157.tif 000009
【図７】
0005570157.tif 000010
【図８】
0005570157.tif 000011
【図９】
0005570157.tif 000012